(57)【要約】      （修正有）【課題】避難時に雨具として大人から子供まで安全に使用することが可能になり、本来の使用時でも見映えを損なうことのないレジャーシートを提供する。【解決手段】防水性の可撓性シートで矩形状の折りたたみシート本体を形成する。該シート本体の角部にフード部２を形成する。シート本体を三角形状に折りたたみポンチョ体３を形成する。フード部２に対向する角部をフード部２内に挿入する。該ポンチョ体３の左右の両側縁にそれぞれ腕差込口４を形成する。該腕差込口４は左右の両側縁の先端部をループ状に折り返して形状を成し、ポンチョ体３の左右の両側縁の先端部に設けた留め具５をポンチョ体３に着脱自在に留めるように構成される。【選択図】図１
0003219577.tif 000002
【実用新案登録請求の範囲】
【請求項１】
防水性の可撓性シートで形成された矩形状の折りたたみシート本体と、
該シート本体の角部に形成されたフード部と、
該フード部を頂部にしてシート本体を三角形状に折りたたみフード部に対向する角部をフード部内に挿入して形成されるポンチョ体と、
該ポンチョ体の左右の両側縁にそれぞれ形成される腕差込口とを備え、
該腕差込口は、ポンチョ体の左右の両側縁の先端部をループ状に折り返して着脱自在に設けることを特徴とするレジャーシート。
【請求項２】
前記ポンチョ体は、正方形状又は長方形状のシート本体にて形成され、長方形状のシート本体は正方形に折りたたまれた状態から前記ポンチョ体が形成される請求項１記載のレジャーシート。
【請求項３】
前記腕差込口は、前記ポンチョ体の左右の両側縁の先端部に設けた留め具を前記ポンチョ体に着脱自在に留めるように構成された請求項１記載のレジャーシート。
【考案の詳細な説明】
【技術分野】
【０００１】
本考案は、例えばピクニックや花見などで敷いて使用するレジャーシートに係り、例えば使用中に突然の雨が降ってきた場合などに、このレジャーシートを雨具に変えて避難することが可能なレジャーシートに関する。
【背景技術】
【０００２】
従来、この種のレジャーシートとして、シートの角部を二重構成にしてフードにするものが提案されている（特許文献１、２参照）。いずれも、使用中に突然の雨が降ってきた場合、このフードを頭に被り、レジャーシートを雨具に変えて使用するものであった。
【０００３】
特許文献１に記載のレジャーシートは、避難時にシートがバタつくのを防止するために、左右の腕を挿入する帯状のシート片を設けたものである。このように、使用者は、頭にフードを被り、左右のシート片に両腕を挿入すると、レジャーシート後方のバタつきを押さえながら避難できるというものである。
【０００４】
特許文献２に記載のレジャーシートは、フードを被ったときに、胸前の空いた部分を閉じる帯状の被着用面ファスナーを設けたものである。そして、この被着用面ファスナーを胸前で閉じると、体に巻き付けたシートの前身頃部分の、まくり上り等を防止することができるというものである。
【先行技術文献】
【特許文献】
【０００５】
【特許文献１】実用新案登録第３１１６０６８号公報
【特許文献２】実用新案登録第３１７００４４号公報
【考案の開示】
【考案が解決しようとする課題】
【０００６】
これら従来のレジャーシートは、いずれも雨が降ってきたときに雨具に変えて避難することが可能になる。ところが、一般に、レジャーシートのサイズは、最小サイズでも900mm×600mmほどのサイズになり、より多く使用されているのは1,200mm×900mmや・・・・・・・・1,200mm前後のサイズである。
【０００７】
そのため、シートの角部にフードを構成したものでは、このフードを被ったときに、フードの対角部分側のシートが地面に引きずられるおそれがあった。特に、子供等にフードを被せると、地面に引きずる部分が更に大きくなるので、そのまま駆け出すと危険な状態になってしまう。更に、長方形状のシートを使用すると、引きずる部分が更に長くなるので、より危険な状態になる。
【０００８】
しかも、いずれのレジャーシートも、シートのバタつき等を防止するために、帯状のシート片や被着用面ファスナー等の部材を別途設けたものであるから、これらの部材がレジャーシート本来の使用時には全く必要のない異物となるので、レジャーシートの見映えを妨げる不都合があった。
【０００９】
そこで本考案は、上述の課題を解消すべく案出されたもので、避難時に大人から子供まで安全に使用することが可能になり、しかも、本来の使用でも見映えを損なうことのないレジャーシートの提供を目的とするものである。
【課題を解決するための手段】
【００１０】
本考案の第１の手段は、防水性の可撓性シートで形成された矩形状の折りたたみシート本体１と、該シート本体１の角部に形成されたフード部２と、該フード部２を頂部にしてシート本体１を三角形状に折りたたみフード部２に対向する角部をフード部２内に挿入して形成されるポンチョ体３と、該ポンチョ体３の左右の両側縁にそれぞれ形成される腕差込口４とを備え、該腕差込口４は、ポンチョ体３の左右の両側縁の先端部をループ状に折り返して着脱自在に設けるものである。
【００１１】
第２の手段の前記ポンチョ体３は、正方形状又は長方形状のシート本体１にて形成され、長方形状のシート本体１は正方形に折りたたまれた状態から前記ポンチョ体３が形成される。
【００１２】
第３の手段において前記腕差込口４は、前記ポンチョ体３の左右の両側縁の先端部に設けた留め具５を前記ポンチョ体３に着脱自在に留めるように構成されたものである。
【考案の効果】
【００１３】
本考案の請求項１のごとく、シート本体１の角部に形成されたフード部２に、シート本体１を三角形状に折りたたみフード部２に対向する角部をフード部２内に挿入してポンチョ体３を形成するので、シート本体１のサイズが広い場合でも、着用に適したサイズのポンチョ体３を形成することができる。しかも、フード部２内に挿入した部分は、頭部にフード部２を被せると固定されるので、フード部２からズレ落ちることはない。
【００１４】
この結果、従来のフード付きのシートを被ったときに、フードの対角部分が地面に引きずられるおそれは解消され、特に、対角の小さな子供等でも安全に使用することができる。
【００１５】
請求項２のように、ポンチョ体３は、正方形状又は長方形状のシート本体１にて形成され、長方形状のシート本体１は正方形に折りたたまれた状態からポンチョ体３が形成されるので、従来のフード付きのシートでは、使用が極めて危険になっていた長方形状のシート本体１でも、ポンチョ体３として安全に使用することができる。
【００１６】
したがって、これまでレジャーシートとして使用されているあらゆるサイズや形状のシート本体１をポンチョ体３として使用することが可能になった。
【００１７】
請求項３のごとく、腕差込口４は、ポンチョ体３の左右の両側縁の先端部に設けた留め具５をポンチョ体３に着脱自在に留めるように構成されているので、従来のフード付きのシートのように、帯状のシート片や被着用面ファスナー等の部材を別途設ける必要がなくなり、レジャーシート本来の使用時に見映えを妨げる不都合は解消された。
【図面の簡単な説明】
【００１８】
【図１】本考案の使用状態を示す斜視図である。
【図２】本考案のシート本体を示す展開図である。
【図３】本考案のポンチョ体を示す展開図である。
【図４】本考案の腕差込口を示す平面図である。
【図５】本考案の他の実施例のシート本体を示す展開図である。
【図６】図５に示すシート本体を正方形にたたんだ状態を示す展開図である。
【図７】本考案の他の実施例のポンチョ体を示す展開図である。
【図８】本考案の実施例の腕差込口を示す平面図である。
【考案を実施するための形態】
【００１９】
本考案で使用するシート本体１は、防水性の可撓性シートで形成された矩形状を成すもので、該シート本体１の角部にフード部２を形成したものである（図２参照）。このフード部２は、シート本体１の角部を二重の三角形状に形成したもので、このフード部２内に頭を入れるポンチョ体３を構成するものである（図１参照）。
【００２０】
すなわち、本来はレジャーシートとして使用するシート本体１を、このフード部２を頂部として三角形状に折りたたむ（図２参照）。図示例では、仮想の折込線Ｓからフード部２に対向する角部を折り込むように示している。シート本体１が三角形状に折りたたまれ、フード部２に対向する角部をフード部２内に挿入するとポンチョ体３が形成される（図３参照）。
【００２１】
このポンチョ体３は、正方形状のシート本体１、又は長方形状のシート本体１で形成することができる。すなわち、正方形状のシート本体１を使用する際は、フード部２に対向する角部をそのまま折り込むことで、二等辺三角形状のポンチョ体３が形成される（図３参照）。
【００２２】
一方、長方形状のシート本体１を使用する際は（図５参照）、このシート本体１の長手側縁を折りたたむことでシート本体１を正方形に形成する（図５参照）。図示では、長方形状のシート本体１を仮想の折込線Ｕを介して折り込む状態を示している。次に、正方形に折りたたんだシート本体１を仮想の折込線Ｓを介してフード部２に対向する角部を折りたたむ（図６参照）。そして、この角部をフード部２に挿入することで三角形状のポンチョ体３が形成されるものである（図７参照）。
【００２３】
このポンチョ体３の左右の両側縁には、それぞれ腕差込口４が形成される（図１参照）。この腕差込口４は、ポンチョ体３の左右の両側縁の先端部をループ状に折り返して形成するものである（図３、図４参照）。図示例では、仮想の折込線Ｔから折り込む状態を示している（図３参照）。また、長方形状のシート本体１で形成したポンチョ体３も同様に、仮想の折込線Ｔから折り込む状態を示している（図７参照）。その結果、左右一対の腕差込口４が形成されるものである（図８参照）。
【００２４】
更に、ポンチョ体３の左右の両側縁の先端部に留め具５を設けている。そして、この留め具５をポンチョ体３に着脱自在に留めるように構成している（図４、図８参照）。図示例では、ポンチョ体３の左右の両側縁の先端部と、側縁の中ほどとに対を成す留め具５を設けている（図３、図７参照）。そして、これらの留め具５を着脱自在に留めることでループ状の腕差込口４が形成される（図１参照）。この留め具５は、例えばスナップや面ファスナーなど、従来周知の留め具が任意に選択使用されるものである。
【００２５】
尚、図示例の各構成は、本考案の一実施例に過ぎず、たとえばシート本体１、フード部２、ポンチョ体３の形状やサイズ、あるいは、腕差込口４の構造などは、本考案の要旨を変更しない範囲において自由に変更することができる。
【符号の説明】
【００２６】
１  シート本体
２  フード部
３  ポンチョ体
４  腕差込口
５  留め具
Ｓ  折込線
Ｔ  折込線
Ｕ  折込線
【図１】
0003219577.tif 000003
【図２】
0003219577.tif 000004
【図３】
0003219577.tif 000005
【図４】
0003219577.tif 000006
【図５】
0003219577.tif 000007
【図６】
0003219577.tif 000008
【図７】
0003219577.tif 000009
【図８】
0003219577.tif 000010